(57)【要約】【課題】  一方の構造物で生じた機械音等の音振動を他方の構造物に伝達し難く、かつ風圧によっても大きく変形することが無いエキスパンションジョイントを提供する。【解決手段】  構造物１、２間に形成された間隙Ｓを封じるエキスパンションジョイント３であって、間隙Ｓに配設されるとともに、一方の側縁４ａがこれと対向する構造物１に固定され、かつ他方の側縁４ｂが複数の付勢部材５を介して構造物２に固定されることにより、構造物１、２間に張設された可撓性を有する膜材４と、構造物２に設けられ、少なくとも構造物２と膜材４の側縁４ｂとの間を覆うカバー部材６と、このカバー部材６に設けられ、付勢部材５の付勢力に抗して膜材４の中間部をその面外方向に押圧する押し付け材７とを備えてなる。【選択図】  図１
2006193906.tif 000002
【特許請求の範囲】
【請求項１】
構造物間に形成された間隙を封じるエキスパンションジョイントであって、
上記間隙に配設されるとともに、一方の側縁がこれと対向する一方の構造物に固定され、かつ他方の側縁が当該側縁方向に並列的に配された複数の付勢部材を介して対向する他方の構造物に固定されることにより、上記構造物間に張設された可撓性を有する膜材と、
上記他方の構造物に設けられ、少なくとも当該構造物と上記膜材の上記他方の側縁との間を覆うカバー部材と、
このカバー部材に設けられ、上記付勢部材の付勢力に抗して上記膜材の中間部をその面外方向に押圧する押し付け材と、
を備えてなることを特徴とするエキスパンションジョイント。
【請求項２】
構造物間に形成された間隙を封じるエキスパンションジョイントであって、
上記間隙に配設されるとともに、上記構造物と対向する両側縁が、それぞれ当該側縁方向に並列的に配された複数の付勢部材を介して上記構造物に固定されることにより、上記構造物間に張設された可撓性を有する膜材と、
各々の上記構造物に設けられ、少なくとも当該構造物と上記膜材の上記側縁との間を覆うカバー部材と、
このカバー部材に設けられ、上記付勢部材の付勢力に抗して上記膜材の中間部をその面外方向に押圧する押し付け材と、
を備えてなることを特徴とするエキスパンションジョイント。
【請求項３】
上記押し付け材は、上記膜材を上記間隙の幅方向と交差する方向に線状に押圧するとともに、上記膜材との接触部分が凸曲面によって形成されていることを特徴とする請求項１または２に記載のエキスパンションジョイント。
【発明の詳細な説明】
【技術分野】
【０００１】
本発明は、建物相互間あるいは建物と他の構造物との間に形成された間隙を封じて風雨等の侵入を防ぐエキスパンションジョイントに関するものである。
【背景技術】
【０００２】
建物（構造物）相互間や建物と周囲の他の構造物との間に風雨が侵入しないように、これらの間隙を塞ぐ場合には、強風時や地震時に両構造物に相対変位が生じることから、これを吸収可能なエキスパンションジョイントが用いられている。
【０００３】
例えば、下記特許文献１には、間隔をおいて相対する建物の一方にホルダの一端部を固定し、このホルダに上記建物の間隙を覆うカバー材を固定するとともに、上記カバー材を付勢手段によって傾動可能に設けたエキスパンションジョイントが開示されている。
【０００４】
このエキスパンションジョイントによれば、カバー材によって、上記建物の間隙を封じて風雨の侵入を防ぐとともに、地震時等に両建物間に相対変位が生じた際には、カバー材が付勢手段の付勢力に抗して傾動することにより、これを吸収することができる。
【特許文献１】特開２００４−９２１８７号公報
【発明の開示】
【発明が解決しようとする課題】
【０００５】
しかしながら、上記従来のエキスパンションジョイントにあっては、カバー材やホルダ等の部材あるいはスプリングやヒンジ部のピン等として、所望の剛性を有する金属や合成樹脂板を使用する必要があるために、両建物間に音振動を伝えやすいという問題点がある。
【０００６】
他方、隣接する建物間に、ゴム弾性を有する防水シートを架け渡したエキスパンションジョイントも提案されているが、当該エキスパンションジョイントにおいては、建物の間隔が大きくなった場合に、風圧の影響を受けて大きく変形してしまうという問題点がある。
【０００７】
本発明は、かかる事情に鑑みてなされたもので、一方の構造物で生じた機械音等の音振動を他方の構造物に伝達し難く、かつ風圧によっても大きく変形することが無いエキスパンションジョイントを提供することを課題とするものである。
【課題を解決するための手段】
【０００８】
上記課題を解決するために、請求項１に記載の発明は、構造物間に形成された間隙を封じるエキスパンションジョイントであって、上記間隙に配設されるとともに、一方の側縁がこれと対向する一方の構造物に固定され、かつ他方の側縁が当該側縁方向に並列的に配された複数の付勢部材を介して対向する他方の構造物に固定されることにより、上記構造物間に張設された可撓性を有する膜材と、上記他方の構造物に設けられ、少なくとも当該構造物と上記膜材の上記他方の側縁との間を覆うカバー部材と、このカバー部材に設けられ、上記付勢部材の付勢力に抗して上記膜材の中間部をその面外方向に押圧する押し付け材とを備えてなることを特徴とするものである。
【０００９】
また、請求項２に記載の発明は、構造物間に形成された間隙を封じるエキスパンションジョイントであって、上記間隙に配設されるとともに、上記構造物と対向する両側縁が、それぞれ当該側縁方向に並列的に配された複数の付勢部材を介して上記構造物に固定されることにより、上記構造物間に張設された可撓性を有する膜材と、各々の上記構造物に設けられ、少なくとも当該構造物と上記膜材の上記側縁との間を覆うカバー部材と、このカバー部材に設けられ、上記付勢部材の付勢力に抗して上記膜材の中間部をその面外方向に押圧する押し付け材とを備えてなることを特徴とするものである。
【００１０】
さらに、請求項３に記載の発明は、請求項１または２に記載の発明において、上記押し付け材が、上記膜材を上記間隙の幅方向と交差する方向に線状に押圧するとともに、上記膜材との接触部分が凸曲面によって形成されていることを特徴とするものである。
【発明の効果】
【００１１】
請求項１〜３のいずれかに記載のエキスパンションジョイントによれば、隙間が形成された構造物間に可撓性を有する膜材を張設しているので、一方の構造物で生じた機械音等の音振動が他方の構造物に伝達することを抑制することができる。
【００１２】
しかも、押し付け材によって、上記膜材の中間部を付勢部材の付勢力に抗して押圧しているので、風による負圧や静圧が作用した際にも、膜材と押し付け材との接触部が離脱することが無く、よって膜材の変形を小さく抑えることができる。また、付勢部材と押し付け材との協働によって、膜材に一定の引張力を加えて張設しているので、当該膜材に作用する積雪等の荷重も安定的に支持することができる。
加えて、地震時や強風時等に両構造物間に相対変位が生じた場合においても、付勢部材の伸縮によって、これを吸収することができる。
【００１３】
この際に、複数の付勢部材を介して膜材を構造物に固定した部分においては、膜材の側縁と構造物との間であって、かつ隣接する付勢部材間に開口部が形成されるが、当該付勢部材を介装した部分に、少なくとも構造物と膜材の側縁との間を覆うカバー部材を設けているので、このカバー部材と上記膜材とによって、両構造物間に形成された間隙の全幅を確実に塞いて、風雨等の侵入を防止することができる。
【００１４】
また、特に請求項３に記載の発明によれば、上記押し付け材によって、上記膜材を上記間隙の幅方向と交差する方向に線状に押圧しているので、安定的かつ均一に膜材を張設することができる。しかも、上記膜材との接触部分を凸曲面によって形成しているので、押し付け材と膜材との接触部に大きな集中荷重が作用することも無い。
なお、上記凸曲面の表面に、摩擦係数を小さくするフッ素樹脂等のコーティング処理を施しておけば一層好適である。
【発明を実施するための最良の形態】
【００１５】
（実施の形態１）
図１は、本発明のエキスパンションジョイントの第１の実施形態を示すものである。
図１において、符号１、２は、それぞれ間に間隙Ｓをおいて隣接する建物（構造物）であり、これら建物１、２間に、上記間隙Ｓを塞ぐエキスパンションジョイント３が設けられている。
【００１６】
このエキスパンションジョイント３は、膜材４、スプリング（付勢手段）５、カバー部材６および押し付け材７によって概略構成されたものである。
上記膜材４は、例えばＥＴＦＥ（エチレン−テトラフルオロエチレン重合体）フィルム等の可撓性を有するプラスチック系フィルム材料からなるもので、上記間隙Ｓと等しい長さ寸法に形成されるとともに、幅寸法は間隙Ｓの幅寸法よりも短く形成されている。
【００１７】
そして、この膜材４は、建物（一方の建物）１と対向する側縁（一方の側縁）４ａが、アングル材からなる取付金物８の一辺側に挟持板９ａによって挟持されるとともにボルト９ｂおよび挟持ナット９ｃによって固定され、さらに取付金物８の他辺側が建物１の側壁にボルト１０ａおよびナット１０ｂを介して取り付けられることにより、建物１に液密的に固定されている。
【００１８】
また、建物（他方の建物）２と対向する膜材４の側縁（他方の側縁）４ｂには、その長手方向（図１の紙面表裏方向）に向けた複数個所に、鳩目１１を用いた小孔が形成されており、各々の小孔にシャックル１２が取り付けられている。そして、これらシャックル１２と建物２の側壁との間に、上記スプリング５が介装されている。この結果、膜材４は、側縁４ｂの長手方向に並列的に配設された複数のスプリング５によって、建物１、２間に張設されている。
【００１９】
さらに、建物２側には、間隙Ｓの開口側から当該建物２と膜材４の側縁４ｂを超えた中間部との間を覆う上記カバー部材６が設けられている。このカバー部材６は、下方のスプリング５間の開口を覆う平板部６ａと、この平板部６ａから膜材４側に屈曲された支持板部６ｂとを有する断面Ｌ字状部材に形成されている。そして、このカバー部材６の支持板部６ｂの先端部に、上記押し付け材７が固定されている。
【００２０】
この押し付け材７は、膜材４の長手方向に延在する円柱部材であり、その表面には、摩擦係数を小さくするフッ素樹脂等のコーティング１３が形成されている。
ここで、支持板部６ｂの長さ寸法は、膜材４の中間部をスプリング５の付勢力に抗してその面外方向に押圧するに十分な寸法に設定されている。これにより、膜材４は、押し付け材７によって押圧されることにより、スプリング５が幾分伸ばされた状態で、建物１、２間に張設されている。なお、符号１４は、平板部６ａの所定個所に設けられた通気用のガラリである。
【００２１】
（第２の実施形態）
図２は、本発明に係るエキスパンションジョイントの第２の実施形態を示すもので、図１に示したものと同一構成部分については、同一符号を付してある。
このエキスパンションジョイント２０においては、膜材２１の両側縁２０ａ、２０ｂに、それぞれシャックル１２を介してスプリング５の一端部が取り付けられ、これらスプリング５の他端部が、それぞれ建物１、２に固定されている。
【００２２】
さらに、両方の建物１、２に、上記スプリング５間の開口を塞ぐカバー部材６が取り付けられている。この結果、膜材４は、両側のカバー部材６の支持板部６ｂに取り付けられた押し付け材７によって、それぞれのスプリング５が付勢力された状態で建物１、２間に張設されている。
【００２３】
図３および図４は、図１に示した第１の実施形態のエキスパンションジョイント３の変形例およびその一適用例を示すものである。
このエキスパンションジョイント３０は、平面視コ字状の建物（構造物）３１の開口部に、機械式駐車場ビル（構造物）３２が組み込まれている際に、図中Ａで示す部分において、建物３１と駐車場ビル３２との間隙Ｓを塞ぐために適用したものである。
【００２４】
ここで、図４に示すように、駐車場ビル３２側には、間隙Ｓ側に突出する壁部３２ａが一体的に形成されており、当該壁部３２ａが前記カバー部材６の平板部６ａを兼ねている。そして、この壁部３２ａの先端部に、支持板部３３が膜材４側に向けて突設され、その先端部に上記押し付け材７が固定されている。
【００２５】
また、図５および図６は、前記エキスパンションジョイント３の他の適用例を示すものである。
図５および図６において、符号３５は、基礎３６との間に免震装置３７が介装された免震建物（構造物）を示すもので、この結果免震建物３５と基礎３６との間には、免震ピット３８が形成されている。そして、免震建物３５と免震ピット３８を画成する周囲の擁壁３９との間隙Ｓに、上記エキスパンションジョイント３が設けられている。
【００２６】
上記構成からなるエキスパンションジョイント３、２０、３０によれば、隙間Ｓが形成された建物１、２間、建物３１と駐車場ビル３２間あるいは免震建物３５と擁壁３９間に、それぞれ可撓性を有する膜材４を張設しているので、例えば建物２、駐車場ビル３２あるいは擁壁３９側で生じた機械音等の音振動が、他方の建物１、３１、３５等に伝達することを抑制することができる。
【００２７】
この際に、押し付け材７によって、膜材４の中間部をスプリング５の付勢力に抗して押圧しているので、風による負圧や静圧が作用した際にも、膜材４と押し付け材７との接触部が離脱することが無く、膜材４の変形を小さく抑えることができる。また、スプリング５と押し付け材７との協働によって、膜材４に作用する積雪等の荷重も安定的に支持することができる。
【００２８】
しかも、地震時や強風時等に、建物２、駐車場ビル３２あるいは擁壁３９と、他方の建物１、３１、３５との間に相対変位が生じた場合においても、スプリング５の伸縮によって、これを吸収することができる。
【００２９】
さらに、スプリング５を配置した部分に、スプリング５間に形成された開口部を覆うカバー部材６、３２ａを設けているので、このカバー部材６、３２ａと膜材４とによって、建物１、２間、建物３１と駐車場ビル３２間あるいは免震建物３５と擁壁３９間に形成された隙間Ｓを確実に塞いて、風雨等の侵入を防止することができる。
【００３０】
加えて、円柱状の押し付け材７によって、膜材４を間隙Ｓの幅方向と直交する方向に線状に押圧しているので、安定的かつ均一に膜材４を張設することができるとともに、押し付け材７の膜材４との接触部分を円弧面によって形成しているので、押し付け材７と膜材４との接触部に大きな集中荷重が作用することも無い。しかも、押し付け部材７の表面に、摩擦係数を小さくするコーティング１３を形成しているので、膜材４との間に摺動が生じた場合においても、膜材４を傷めるおそれもない。
【図面の簡単な説明】
【００３１】
【図１】本発明の第１の実施形態を示す縦断面図である。
【図２】本発明の第２の実施形態を示す縦断面図である。
【図３】第１の実施形態の変形例が適用される構造物の配置を示す平面図である。
【図４】図３のＩＶ−ＩＶ線視断面図である。
【図５】第１の実施形態の他の適用例を示す縦断面図である。
【図６】図５の要部の拡大図である。
【符号の説明】
【００３２】
１、２、３１  建物（構造物）
３、２０、３０  エキスパンションジョイント
４、２０  膜材
４ａ、４ｂ、２０ａ、２０ｂ  側縁
５  スプリング（付勢部材）
６  カバー部材
６ａ  平板部
６ｂ、３３  支持板部
７  押し付け材
３２  機械式駐車場ビル（構造物）
３５  免震建物（構造物）
３９  擁壁（構造物）
Ｓ  間隙
【図１】
2006193906.tif 000003
【図２】
2006193906.tif 000004
【図３】
2006193906.tif 000005
【図４】
2006193906.tif 000006
【図５】
2006193906.tif 000007
【図６】
2006193906.tif 000008